(57)【要約】      （修正有）【課題】内線光ケーブルの使用を省略することができるプラグイン実装構造、光コネクタプラグ、およびアダプタを提供する。【解決手段】プラグイン実装構造は、ソケットと嵌合する嵌合部が設けられた本体と、本体に対して前後にスライド可能であり、嵌合部にソケットが嵌合した状態でソケットをロックするレバー１２と、レバー１２に固定された第１ロック１４と、を備える光コネクタプラグ１０と、光コネクタプラグ１０の本体の後方への移動をロックする第２ロック２１と、第１ロック１４と係合し、前後方向に遊びを持ってレバー１２をロックするためのロック受けと、を備えるアダプタ２０と、光コネクタプラグ１０が挿入される際に、レバー１２を後方に移動させ、光コネクタプラグ１０と嵌合するソケットと、を備える。【選択図】図２
2014211562.tif 000002
【特許請求の範囲】
【請求項１】
ソケットと嵌合する嵌合部が設けられた本体と、前記本体に対して前後にスライド可能であり、前記嵌合部に前記ソケットが嵌合した状態で前記ソケットをロックするレバーと、前記レバーに固定された第１ロックと、を備える光コネクタプラグと、
前記光コネクタプラグの本体の後方への移動をロックする第２ロックと、前記第１ロックと係合し、前後方向に遊びを持って前記レバーをロックするためのロック受けと、を備えるアダプタと、
前記光コネクタプラグが挿入される際に、前記レバーを後方に移動させ、前記光コネクタプラグと嵌合するソケットと、を備えることを特徴とするプラグイン実装構造。
【請求項２】
前記第１ロックは、前後方向の途中に縮径部を有し、
前記アダプタのロック受けは、前記縮径部の前後方向の長さよりも小さい薄い厚みを有することによって前記遊びを持つことを特徴とする請求項１記載のプラグイン実装構造。
【請求項３】
前記第２ロックは、前記レバーよりも後方において前記光コネクタプラグの本体の後方への移動をロックすることを特徴とする請求項１または２記載のプラグイン実装構造。
【請求項４】
前記アダプタは、プラグイン装置のバックプレーンに遊びを持って固定されていることを特徴とする請求項１〜３のいずれか一項に記載のプラグイン実装構造。
【請求項５】
前記光コネクタプラグは、ＪＩＳＣ５９８２の規格に則ったＭＰＯプラグであることを特徴とする請求項１〜４のいずれか一項に記載のプラグイン実装構造。
【請求項６】
ソケットと嵌合する嵌合部が設けられた本体と、
前記本体に対して前後にスライド可能であり、前記嵌合部に前記ソケットが嵌合した状態で前記ソケットをロックするレバーと、
前記レバーに固定され、前記本体をアダプタに挿入した場合に前記アダプタのロック受けによって、前後方向に遊びを持ってロックされる第１ロックと、を備えることを特徴とする光コネクタプラグ。
【請求項７】
光コネクタプラグが挿入されるソケット部と、
ソケットと嵌合する嵌合部が設けられ、前記ソケット部と固定された本体と、
前記本体に対して前後にスライド可能であり、前記嵌合部に前記ソケットが嵌合した状態で前記ソケットをロックするレバーと、
前記レバーに固定された第１ロックと、
前記ソケット部の後方への移動をロックする第２ロックと、
前記第１ロックと係合し、前後方向に遊びを持って前記レバーをロックするためのロック受けと、を備えることを特徴とするアダプタ。
【発明の詳細な説明】
【技術分野】
【０００１】
本発明は、プラグイン実装構造、光コネクタプラグ、およびアダプタに関する。
【背景技術】
【０００２】
特許文献１は、プリントボードに実装された光モジュールに接続された内線用の光コネクタプラグと、外線用の光コネクタプラグとを光接続する構成を開示している。
【先行技術文献】
【特許文献】
【０００３】
【特許文献１】特開２００４−１７１００３号公報
【発明の概要】
【発明が解決しようとする課題】
【０００４】
しかしながら、特許文献１の技術では、光モジュールと内線光ケーブルとを接続する必要があるため、光伝送の分割点が「光モジュール−内線光ケーブル」、「内線光ケーブル−外線光ケーブル」の複数箇所となる。その結果、光のロスが大きくなる。
【０００５】
１つの側面では、本発明は、内線光ケーブルの使用を省略することができるプラグイン実装構造、光コネクタプラグ、およびアダプタを提供することを目的とする。
【課題を解決するための手段】
【０００６】
１つの態様では、プラグイン実装構造は、ソケットと嵌合する嵌合部が設けられた本体と前記本体に対して前後にスライド可能であり、前記嵌合部に前記ソケットが嵌合した状態で前記ソケットをロックするレバーと前記レバーに固定された第１ロックとを備える光コネクタプラグと、前記光コネクタプラグの本体の後方への移動をロックする第２ロックと、前記第１ロックと係合し、前後方向に遊びを持って前記レバーをロックするためのロック受けと、を備えるアダプタと、前記光コネクタプラグが挿入される際に、前記レバーを後方に移動させ、前記光コネクタプラグと嵌合するソケットと、を備える。
【０００７】
１つの態様では、光コネクタプラグは、ソケットと嵌合する嵌合部が設けられた本体と、前記本体に対して前後にスライド可能であり、前記嵌合部に前記ソケットが嵌合した状態で前記ソケットをロックするレバーと、前記レバーに固定され、前記本体をアダプタに挿入した場合に前記アダプタのロック受けによって、前後方向に遊びを持ってロックされる第１ロックと、を備える。
【０００８】
１つの態様では、アダプタは、光コネクタプラグが挿入されるソケット部と、ソケットと嵌合する嵌合部が設けられ、前記ソケット部と固定された本体と、前記本体に対して前後にスライド可能であり、前記嵌合部に前記ソケットが嵌合した状態で前記ソケットをロックするレバーと、前記レバーに固定された第１ロックと、前記ソケット部の後方への移動をロックする第２ロックと、前記第１ロックと係合し、前後方向に遊びを持って前記レバーをロックするためのロック受けと、を備える。
【発明の効果】
【０００９】
内線光ケーブルの使用を省略することができるプラグイン実装構造、光コネクタプラグ、およびアダプタを提供することができる。
【図面の簡単な説明】
【００１０】
【図１】（ａ）〜（ｅ）は光コネクタプラグを説明するための図である。
【図２】光コネクタプラグをアダプタに挿入する様子を説明するための図である。
【図３】（ａ）は光コネクタプラグをアダプタに挿入する前の状態を表す斜視図であり、（ｂ）は光コネクタプラグがアダプタに挿入された後の状態を表す斜視図である。
【図４】光コネクタプラグがアダプタに挿入された後の状態を表す側面図である。
【図５】図４のアダプタ付近の拡大図である。
【図６】ソケットと光コネクタプラグとを接続させる様子を説明するための図である。
【図７】ソケットを光コネクタプラグに挿入する様子を表すアダプタ付近の拡大図である。
【図８】ソケットを光コネクタプラグに挿入する様子を表すアダプタ付近の拡大図である。
【図９】ソケットを光コネクタプラグに挿入する様子を表すアダプタ付近の拡大図である。
【図１０】ソケットを光コネクタプラグに挿入する様子を表すアダプタ付近の拡大図である。
【図１１】ソケットと光コネクタプラグとの接続を表す図である。
【図１２】アダプタに光コネクタプラグを挿入する前に、プリント配線板をプラグインユニットに挿入した図である。
【図１３】ソケットを光コネクタプラグから抜き去る様子を表すアダプタ付近の拡大図である。
【図１４】ソケットを光コネクタプラグから抜き去る様子を表すアダプタ付近の拡大図である。
【図１５】ロック解除を表す図である。
【図１６】実施例２に係るアダプタ付近の拡大図である。
【発明を実施するための形態】
【００１１】
実施例の説明に先立って、光コネクタプラグについて説明する。光コネクタプラグは、一例として日本工業規格ＪＩＳＣ５９８２、国際電気標準会議ＩＥＣ  １７５４−７発行に制定される、ＭＰＯ形（MPO: Multifiber Push On）の光コネクタプラグである。
【００１２】
図１（ａ）は、光コネクタプラグ２００の模式的な斜視図である。図１（ａ）を参照して、光コネクタプラグ２００は、本体とレバー２０２とからなる。光コネクタプラグ２００は、ソケットに接続される側が前方である。本体には、光ケーブルなどが設けられている。レバー２０２は、本体の前方先端のフェルール２０１の一部を覆うように設けられている。また、レバー２０２は、本体に対して相対的な移動が可能であり、本体に対して前後方向のスライド可能範囲が定められている。レバー２０２は、バネなどによって前方に付勢されている。バネ以外の外力が働かない状態では、レバー２０２は、フェルール２０１の凹部２０３を覆っている。図１（ｂ）は、光コネクタプラグ２００の一部透過正面図である。図１（ｂ）を参照して、フェルール２０１には、凹部２０３が設けられている。
【００１３】
図１（ｃ）は、光コネクタプラグ２００をソケット３００に挿入する場合の図である。図１（ｃ）を参照して、ソケット３００には、フェルール２０１の凹部２０３に嵌合するための内部ロック３０１が設けられている。図１（ｄ）を参照して、光コネクタプラグ２００の本体を支持した状態で光コネクタプラグ２００をソケット３００に挿入すると、内部ロック３０１がレバー２０２を後方に押し下げることによって凹部２０３が露出する。言い換えれば、レバー２０２をスライド可能な状態で光コネクタプラグ２００をソケット３００に挿入すると、内部ロック３０１がレバー２０２を後方に押し下げることによって凹部２０３が露出する。
【００１４】
それにより、内部ロック３０１が凹部２０３に嵌合する。なお、レバー２０２を支持した状態で光コネクタプラグ２００をソケット３００に挿入しても、レバー２０２がスライドできないため、内部ロック３０１はレバー２０２を押し下げることができない。図１（ｅ）を参照して、内部ロック３０１が凹部２０３に嵌合すると、付勢力によってレバー２０２が前方に移動して内部ロック３０１を覆う。それにより、レバー２０２は、ソケット３００をロックする。以上の過程を経て、光コネクタプラグ２００はソケット３００と接続される。
【００１５】
光コネクタプラグ２００の本体を支持した状態で光コネクタプラグ２００をソケット３００から離そうとしても、レバー２０２はスライドできない。この場合、内部ロック３０１と凹部２０３との嵌合が維持され、光コネクタプラグ２００をソケット３００から抜き去ることはできない。言い換えれば、レバー２０２がスライド可能な状態でなければ、光コネクタプラグ２００をソケット３００から抜き去ることはできない。一方、レバー２０２を支持した状態で光コネクタプラグ２００をソケット３００から離そうとすれば、本体が前方に移動するため、内部ロック３０１と凹部２０３との嵌合を解除することができる。言い換えれば、光コネクタプラグ２００においてレバー２０２をスライド可能な状態にすることによって、光コネクタプラグ２００をソケット３００から抜き去ることができる。
【００１６】
このように、挿入の際に支持する部位と、抜去の際に支持する部位とが異なることから、人が触れなければ光コネクタプラグ２００をソケット３００に対して挿抜することが困難である。したがって、ソケットを後端に実装したプリントボードをプラグイン装置の前方からプラグインし、ソケットを外線用の光コネクタプラグに直接接続することによって内線光ケーブルを省略することは、困難である。そこで、以下の実施例では、人の手を介さずにソケットに対して挿抜することができるプラグイン実装構造、光コネクタプラグ、およびアダプタについて説明する。
【実施例１】
【００１７】
実施例１は、光コネクタプラグにロック機構を設け、アダプタを介してソケットに対して挿抜することによって、人の手を介さずに光コネクタプラグのソケットに対する挿抜を可能とする構成の例である。図２は、光コネクタプラグ１０をアダプタ２０に挿入する様子を説明するための図である。図２を参照して、光コネクタプラグ１０は、本体とレバー１２とからなる。
【００１８】
レバー１２は、本体の前方先端のフェルール１１の一部を覆うように設けられている。フェルール１１には、図１（ｂ）と同様に、凹部１３が設けられている。また、レバー１２は、本体に対して相対的な移動が可能であり、本体に対して前後方向のスライド可能範囲が定められている。レバー１２は、バネなどによって前方に付勢されている。バネ以外の外力が働かない状態では、レバー１２は、フェルール１１の凹部１３を覆っている。レバー１２には、前方に突出しかつ前後方向の途中に縮径部を有する第１ロック１４を備える。すなわち、第１ロック１４においては、先端部および後端部が縮径部よりも大きい径を有する。第１ロック１４は、レバー１２に固定されているため、レバー１２と連動する。
【００１９】
アダプタ２０は、プラグイン装置の後端に設けられたバックプレーン４０に固定されている。なお、ねじ板４１とバックプレーン４０との間に隙間を持たせることによって、遊びを持たせてアダプタ２０をバックプレーン４０に固定してもよい。この遊びは、光コネクタプラグ１０とソケット３０との位置ズレなどを吸収することができる。
【００２０】
アダプタ２０において、光コネクタプラグ１０が挿入される箇所に、第２ロック２１が設けられている。第２ロック２１は、光コネクタプラグ１０がアダプタ２０に挿入された際に、光コネクタプラグ１０のレバー１２よりも後方の部位と嵌合することによって、光コネクタプラグ１０の本体を、後方に移動できないようにロックする。一例として、第２ロック２１は、上下から光コネクタプラグ１０の本体を固定する。
【００２１】
図３（ａ）は、光コネクタプラグ１０をアダプタ２０に挿入する前の状態を表す斜視図である。アダプタ２０には、第１ロック１４に対するロック受け２２が設けられている。光コネクタプラグ１０をアダプタ２０に挿入する際には、第１ロック１４の先端部および縮径部がロック受け２２を通過可能である。第１ロック１４の先端部および縮径部がロック受け２２を通過した場合、第１ロック１４の先端部および後端部がロック受け２２に係合することによって、レバー１２がロックされる。図３（ｂ）は、光コネクタプラグ１０がアダプタ２０に挿入された後の状態を表す斜視図である。
【００２２】
図４は、光コネクタプラグ１０がアダプタ２０に挿入された後の状態を表す側面図である。図５は、図４のアダプタ２０付近の拡大図である。図５を参照して、第２ロック２１が光コネクタプラグ１０の本体を支持している状態で、第１ロック１４の縮径部の先端とロック受け２２との間に隙間が空いている。すなわち、ロック受け２２は、前後方向に遊びを持って第１ロック１４をロックしている。この状態においては、上記隙間の分だけ、レバー１２を後方にスライドさせることができる。
【００２３】
図６は、アダプタ２０にロックされた光コネクタプラグ１０とソケット３０とを接続させる様子を説明するための図である。図６を参照して、ソケット３０は、プリント配線板５０の後端に実装されている。プリント配線板５０は、プラグイン装置の前方から後方に向けて挿入される。それにより、ソケット３０と光コネクタプラグ１０とが接続される。
【００２４】
図７〜図１０は、アダプタ２０付近の拡大図である。図７を参照して、ソケット３０には、フェルール１１の凹部１３に嵌合するための内部ロック３１が設けられている。ソケット３０を後方に移動させると、内部ロック３１がフェルール１１の溝（ガイド）１５に沿って凹部１３に向かって移動する。図８を参照して、さらにソケット３０を後方に移動させると、内部ロック３１がレバー１２に当たる。
【００２５】
図９を参照して、さらにソケット３０を後方に移動させると、第２ロック２１によって光コネクタプラグ１０の後方への移動がロックされていることから、内部ロック３１がレバー１２を後方に押し下げて、凹部１３が露出する。それにより、内部ロック３１が凹部１３に嵌合する。図９の状態では、光コネクタプラグ１０において、レバー１２が本体に対して相対的に後方に押し出されている。言い換えれば、光コネクタプラグ１０の本体がレバー１２に対して相対的に前方に引き出されている。図１０を参照して、内部ロック３１が凹部１３に嵌合することによって、バネの付勢力によってレバー１２が前方に戻る。以上の過程を経て、図１１を参照して、ソケット３０と光コネクタプラグ１０との接続が完了する。
【００２６】
なお、図１２を参照して、アダプタ２０に光コネクタプラグ１０を挿入する前に、プリント配線板５０をプラグイン装置に挿入しておいてもよい。この場合、ソケット３０が光コネクタプラグ１０と接続可能な位置にあるため、光コネクタプラグ１０をアダプタ２０に挿入することによって、光コネクタプラグ１０とソケット３０とを接続することができる。
【００２７】
次に、ソケット３０を光コネクタプラグ１０から抜き去る様子について説明する。図１３を参照して、ソケット３０を前方に移動させると、第１ロック１４の後端部がロック受け２２にロックされることから、光コネクタプラグ１０の本体がソケット３０の移動に合わせて前方に移動する。それにより、レバー１２が内部ロック３１から離れるため、内部ロック３１と凹部１３との嵌合が解除可能となる。図１４を参照して、さらにソケット３０を前方に移動させると、内部ロック３１が凹部１３から離れる。それにより、ソケット３０を光コネクタプラグ１０から抜き去ることができる。
【００２８】
本実施例によれば、ソケット３０を光コネクタプラグ１０に挿入する際には、第２ロック２１によって光コネクタプラグ１０の本体が支持される。すなわち、レバー１２がスライド可能な状態でソケット３０が光コネクタプラグ１０に挿入されるため、ソケット３０と光コネクタプラグ１０とを接続することができる。また、光コネクタプラグ１０からソケット３０を抜き去る際には、第１ロック１４によってレバー１２が支持される。すなわち、レバー１２がスライド可能な状態となる。それにより、ソケット３０を光コネクタ１０から抜き去ることができる。第１ロック１４および第２ロック２１を設けることによって、挿入の際に支持する部位と、抜去の際に支持する部位とを異ならせることができる。したがって、人の手を介さずにソケット３０に対して光コネクタプラグ１０を挿抜することができる。その結果、内線光ケーブルを用いなくてもソケットを外線用の光コネクタプラグに対して挿抜することができる。
【００２９】
内線光ケーブルを省略することによって、光分割点を削減することができる。それにより、光ロスが低減され、信頼性が向上する。また、光ケーブルの余長を処理する領域が不要になるため、他部品を多く実装できることで機能アップを図ることができ、プラグイン装置を小型化することができる。また、内線光ケーブルを省略することによって、風の流れが良くなって冷却性能が向上するため、高機能化や熱対策部材の削減が可能になる。また、内線光ケーブルを省略することによって、実装設計が容易となり、組み立て性が良くなり、開発期間、製造期間などを短縮することができる。
【００３０】
なお、プリント配線板５０をプラグイン装置内に挿入した状態で、光コネクタプラグ１０をソケット３０から抜き去ってもよい。図１５を参照して、第１ロック１４をレバー１２側に押さえることによって、ロック受け２２による第１ロック１４のロックを解除することができる。また、図１５を参照して、第２ロック２１を上下方向に押し広げれば、光コネクタプラグ２０の本体のロックも解除される。この状態でレバー１２を支持しつつ後方に移動させると、光コネクタプラグ１０をソケット３０から抜き去ることができる。
【００３１】
また、光コネクタプラグ１０がアダプタ２０に挿入されていない状態では、アダプタ２０に穴が開いた状態になる。そこで、強制空冷時の風漏れや防塵の観点から、キャップをアダプタ２０に取り付けておいてもよい。
【実施例２】
【００３２】
実施例１においては、第１ロックを光コネクタプラグのレバーに設けたが、アダプタに設けてもよい。図１６は、実施例２に係るアダプタ２０ａ付近の拡大図である。本実施例においては、光コネクタプラグ１０は、第１ロック１４を備えていない。
【００３３】
アダプタ２０ａは、光コネクタプラグ１０が挿入されるソケット部２３と、ソケット３０の内部ロック３１と嵌合する凹部２４が設けられかつソケット部２３と固定された本体２５と、レバー２６とを備えている。ソケット部２３は、光コネクタプラグ１０の凹部１３に嵌合するための内部ロック２７が設けられている。光コネクタプラグ１０をソケット部２３に挿入すると、内部ロック２７が光コネクタプラグ１０のレバー１２を後方に押し下げる。それにより、光コネクタプラグ１０の凹部１３が露出し、内部ロック２７が凹部１３に嵌合する。
【００３４】
レバー２６は、本体２５に対して前後のスライド可能範囲が定められ、凹部２４に内部ロック３１が嵌合した状態で内部ロック３１をロックする。また、レバー２６には、第１ロック２８が固定されている。ロック受け２２は、第１ロック２８と係合し、前後方向に遊びを持ってレバー２６をロックする。
【００３５】
この構成においては、アダプタ２０ａを介して、光コネクタプラグをソケットに対して挿抜することができる。光コネクタプラグが第１ロックを備えていなくてもよいので、従来のＭＰＯプラグなどを用いることができる。
【００３６】
なお、上記各実施例においては、光コネクタプラグとしてＭＰＯプラグを用いたが、それに限られない。ソケットと嵌合する嵌合部が設けられた本体と、本体に対して前後のスライド可能範囲が定められ、嵌合部にソケットが嵌合した状態でソケットをロックするレバーと、を備える光コネクタプラグであれば上記各実施例に適用可能である。また、第１ロックおよびロック受けの形状は、上記各実施例に限られない。第１ロックおよびロック受けは、前後方向に遊びを持って第１ロックがアダプタのロック受けにロックされる形状であればよい。
【００３７】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００３８】
１０  光コネクタプラグ
１１  フェルール
１２  レバー
１３  凹部
１４  第１ロック
２０  アダプタ
２１  第２ロック
２２  ロック受け
３０  ソケット
３１  内部ロック
４０  バックプレーン
４１  ねじ板
【図１】
2014211562.tif 000003
【図２】
2014211562.tif 000004
【図３】
2014211562.tif 000005
【図４】
2014211562.tif 000006
【図５】
2014211562.tif 000007
【図６】
2014211562.tif 000008
【図７】
2014211562.tif 000009
【図８】
2014211562.tif 000010
【図９】
2014211562.tif 000011
【図１０】
2014211562.tif 000012
【図１１】
2014211562.tif 000013
【図１２】
2014211562.tif 000014
【図１３】
2014211562.tif 000015
【図１４】
2014211562.tif 000016
【図１５】
2014211562.tif 000017
【図１６】
2014211562.tif 000018